(57)【要約】      （修正有）【課題】電子装置の表示スクリーンを保護するスクリーン保護装置を提供する。【解決手段】強化ガラスシート２１０と、マスク層２２０と、光学粘着層２３０と、貼付層２４０とを含む。マスク層２２０は、強化ガラスシート２１０に設けられ、スクリーン保護装置１００における透明領域１０１を定義する。光学粘着層２３０は、強化ガラスシート２１０に設けられ、透明領域１０１を覆い、マスク層２２０を覆わない。貼付層２４０は、マスク層２２０と光学粘着層２３０とに設けられ、取り外し可能な方式で電子装置２００の表示スクリーン２０２に貼り付けられている。光学粘着層２３０の厚みは、少なくともマスク層２２０の厚みの８０％である。【選択図】図２
0003195819.tif 000002
【実用新案登録請求の範囲】
【請求項１】
電子装置の表示スクリーンを保護するスクリーン保護装置であって、
第１表面と第２表面とを有する強化ガラスシートと、
上記強化ガラスシートの上記第１表面に設けられ、上記スクリーン保護装置における透明領域を定義するマスク層と、
上記強化ガラスシートの上記第１表面に設けられ、上記透明領域を覆い、上記マスク層を覆わない光学粘着層と、
上記マスク層と上記光学粘着層とに設けられ、取り外し可能な方式で上記電子装置の上記表示スクリーンに貼り付けられている貼付層と、を含み、
上記透明領域の形状は、上記表示スクリーンと対応し、
上記光学粘着層の厚みは、少なくとも上記マスク層の厚みの８０％であることを
特徴とするスクリーン保護装置。
【請求項２】
上記貼付層の表面面積は、上記マスク層および上記光学粘着層の両方の表面面積の合計以下であることを
特徴とする請求項１に記載のスクリーン保護装置。
【請求項３】
上記光学粘着層の一対角線の長さは、４インチ以上であることを
特徴とする請求項１に記載のスクリーン保護装置。
【請求項４】
少なくとも１つの開口をさらに含み、上記開口は、上記スクリーン保護装置の上記透明領域以外の領域に設けられ、上記強化ガラスシートと、上記マスク層と、上記貼付層とを貫いていることを
特徴とする請求項１に記載のスクリーン保護装置。
【請求項５】
上記マスク層に設けられ、上記貼付層を囲んでいる環状突起構造をさらに含み、
上記環状突起構造の高さは、上記貼付層の厚みよりも高く、かつ、上記貼付層が上記電子装置の上記表示スクリーンに貼り付けられたとき、上記環状突起構造の外表面は上記表示スクリーンの周辺領域に貼り付けられていることを
特徴とする請求項１に記載のスクリーン保護装置。
【請求項６】
上記環状突起構造の高さは、上記貼付層の厚みの１５０％〜４００％であることを
特徴とする請求項５に記載のスクリーン保護装置。
【請求項７】
上記強化ガラスシートの上記第２表面に設けられ、上記強化ガラスシートの上記第２表面を保護する硬化層をさらに含み、
上記強化ガラスシートの厚みは、０．２ｍｍ〜０．４ｍｍであることを
特徴とする請求項１〜６のいずれか１項に記載のスクリーン保護装置。
【請求項８】
上記硬化層に設けられ、細菌の繁殖を抑制または回避する抗菌層をさらに含むことを
特徴とする請求項７に記載のスクリーン保護装置。
【請求項９】
電子装置の表示スクリーンを保護するスクリーン保護装置であって、
第１表面と第２表面とを有し、厚みが０．２ｍｍ〜０．４ｍｍである強化ガラスシートと、
上記強化ガラスシートの上記第１表面に設けられ、上記スクリーン保護装置における透明領域を定義するマスク層と、
上記強化ガラスシートの上記第２表面に設けられ、上記強化ガラスシートの上記第２表面を保護する硬化層と、
上記強化ガラスシートの上記第１表面に設けられ、上記透明領域を覆い、上記マスク層を覆わない光学粘着層と、
上記マスク層と上記光学粘着層とに設けられ、取り外し可能な方式で上記電子装置の上記表示スクリーンに貼り付けられている貼付層と、
上記マスク層に設けられ、上記貼付層を囲んでいる環状突起構造と、を含み、
上記透明領域の形状は、上記表示スクリーンと対応し、
上記光学粘着層の一対角線の長さは５インチよりも長く、かつ、上記光学粘着層の厚みは少なくとも上記マスク層の厚みの８０％であり、
上記貼付層の厚みは、上記マスク層の厚みよりも小さく、かつ、上記貼付層の表面面積は、上記マスク層および上記光学粘着層の両方の表面面積の合計以下であり、
上記環状突起構造の高さは、上記マスク層の厚みよりも高く、かつ、上記貼付層が取り外し可能な方式で上記電子装置の上記表示スクリーンに貼り付けられたとき、上記環状突起構造の外表面は上記表示スクリーンの周辺領域に貼り付けられていることを
特徴とするスクリーン保護装置。
【請求項１０】
上記環状突起構造の高さは、上記貼付層の厚みの１５０％〜４００％であることを
特徴とする請求項９に記載のスクリーン保護装置。
【考案の詳細な説明】
【技術分野】
【０００１】
本考案はスクリーン保護装置に関し、特に、電子装置の表示スクリーンにニュートン環現象の発生を回避するスクリーン保護装置に関する。
【背景技術】
【０００２】
電子装置のタッチパネルへの傷や油の付着を防止するため、多くの人はタッチパネルの表面にスクリーン保護シートを貼り付けて、タッチパネルを保護する。
【０００３】
米国特許ＵＳ８，０４４，９４２には、スクリーン保護器とタッチパネルの表面との間における気泡の発生を回避するスクリーン保護器が開示されている。上記特許ＵＳ８，０４４，９４２に記載のスクリーン保護器は、当該スクリーン保護器と当該タッチパネルとの間に、空気密閉層が設けられ、当該スクリーン保護器と当該タッチパネルとの間における気泡の発生を回避する。
【０００４】
しかしながら、上記特許ＵＳ８，０４４，９４２に記載のスクリーン保護器は、複数回使用されると、空気密閉層にある空気量が減少し、よって、スクリーン保護器の透明窓が変形し凹んでしまうという課題がある。スクリーン保護器が変形し凹んでしまうと、スクリーン保護器およびタッチパネルを光が通過する時、スクリーン保護器が反射する光とタッチパネルが反射する光とが干渉し縞模様が現れる。そして、タッチパネルに、同心円状に並べられている複数の環状縞模様が、ユーザに見えるようになる。上記現象は、ニュートン環とも言う。ニュートン環がタッチパネルの画面表示を妨害するので、ユーザがスクリーン保護器から見た画面の視覚効果が劣化し、さらに目に不快を感じる場合もある。
【考案の概要】
【考案が解決しようとする課題】
【０００５】
以上のことから、電子装置の表示スクリーンに対して、スクリーン保護装置による上記ニュートン環現象の発生をどのようにして防ぐかは、当分野において解決しようとする課題である。
【課題を解決するための手段】
【０００６】
本明細書には、電子装置のスクリーン保護装置の実施例が記載されている。上記スクリーン保護装置は、第１表面と第２表面とを有する強化ガラスシートと、上記強化ガラスシートの上記第１表面に設けられ、上記スクリーン保護装置における透明領域を定義するマスク層と、上記強化ガラスシートの上記第１表面に設けられ、上記透明領域を覆い、上記マスク層を覆わない光学粘着層と、上記マスク層と上記光学粘着層とに設けられ、取り外し可能な方式で上記電子装置の上記表示スクリーンに貼り付けられている貼付層と、を含み、上記透明領域の形状は、上記表示スクリーンと対応し、上記光学粘着層の厚みは、少なくとも上記マスク層の厚みの８０％であることを特徴としている。
【０００７】
本明細書には、電子装置のスクリーン保護装置の他の実施例が記載されている。上記スクリーン保護装置は、第１表面と第２表面とを有し、厚みが０．３５ｍｍ〜０．７ｍｍである強化ガラスシートと、上記強化ガラスシートの上記第１表面に設けられ、上記スクリーン保護装置における透明領域を定義するマスク層と、上記強化ガラスシートの上記第２表面に設けられ、上記強化ガラスシートの上記第２表面を保護する硬化層と、上記強化ガラスシートの上記第１表面に設けられ、上記透明領域を覆い、上記マスク層を覆わない光学粘着層と、上記マスク層と上記光学粘着層とに設けられ、取り外し可能な方式で上記電子装置の上記表示スクリーンに貼り付けられている貼付層と、上記マスク層に設けられ、上記貼付層を囲んでいる環状突起構造と、を含み、上記透明領域の形状は、上記表示スクリーンと対応し、上記光学粘着層の一対角線の長さが５インチよりも長く、かつ、上記光学粘着層の厚みが少なくとも上記マスク層の厚みの８０％であり、上記貼付層の厚みは、上記マスク層の厚みよりも小さく、かつ、上記貼付層の表面面積は、上記マスク層および上記光学粘着層の両方の表面面積の合計よりも小さく、上記環状突起構造の高さは、上記マスク層の厚みよりも高く、かつ、上記貼付層が取り外し可能な方式で上記電子装置の上記表示スクリーンに貼り付けられたとき、上記環状突起構造の外表面は上記表示スクリーンの周辺領域に貼り付けられていることを特徴としている。
【考案の効果】
【０００８】
上記実施例において、強化ガラスシートと表示スクリーンとの間に設けられている光学粘着層は、スクリーン保護装置の重量を支えることができるので、スクリーン保護装置が凹んで変形することによるニュートン環現象を回避することができるという効果を奏する。
【０００９】
また、上記実施例において、スクリーン保護装置の構造が簡易であるので、スクリーン保護装置の製造良品率を向上することができるという効果を奏する。
【００１０】
本考案のその他の効果は、以下の説明および図に基づいて詳しく説明する。
【図面の簡単な説明】
【００１１】
【図１】本考案の一実施例に係るスクリーン保護装置の正面を簡素化して示す図である。
【図２】図１におけるスクリーン保護装置のＡ−Ａ’線断面図である。
【図３】図１におけるスクリーン保護装置のＢ−Ｂ’線断面図である。
【図４】図１におけるスクリーン保護装置のＣ−Ｃ’線断面図である。
【図５】本考案の他の実施例に係るスクリーン保護装置の正面を簡素化して示す図である。
【図６】図５におけるスクリーン保護装置のＤ−Ｄ’線断面図である。
【図７】図５におけるスクリーン保護装置のＤ−Ｄ’線断面図である。
【図８】図５におけるスクリーン保護装置のＥ−Ｅ’線断面図である。
【図９】図５におけるスクリーン保護装置のＦ−Ｆ’線断面図である。
【考案を実施するための形態】
【００１２】
以下、図面を用いて、本考案の実施例について説明する。図面において、同じ部材番号は、同じまたは類似の部材またはステップを示す。
【００１３】
図１〜図４を参照する。図１は、本考案の一実施例に係るスクリーン保護装置１００の正面を簡素化して示す図である。図２は、図１におけるスクリーン保護装置１００のＡ−Ａ’線断面図である。図３は、図１におけるスクリーン保護装置１００のＢ−Ｂ’線断面図である。図４は、スクリーン保護装置１００のＣ−Ｃ’線断面図である。スクリーン保護装置１００は、電子装置２００の表示スクリーン２０２の表面に傷が付くことを防ぐため、電子装置２００の表面に貼り付けられる。上記電子装置２００は、表示スクリーンを備える各種の電子装置であり、例えば、携帯電話、タブレット、ノートパソコンなど様々な手持ち型モバイル通信装置であってもよいし、テレビ、パソコンディスプレイなど様々な表示装置であってもよい。
【００１４】
電子装置２００に設けられた各装置に応じて、スクリーン保護装置１００に一または複数の開口を設けることができる。例えば、図１の実施例において、スクリーン保護装置１００の一方の端に隣接する箇所に開口１０３および開口１０５が設けられ、他方の端に隣接する箇所に開口１０７が設けられている。開口１０３、開口１０５および開口１０７の位置は、それぞれ電子装置２００の前置カメラ、イヤホンおよびコントロールボタンに対応する。ユーザは、スクリーン保護装置１００を電子装置２００に貼り付ける際、スクリーン保護装置１００を電子装置２００に正確に貼り付けるために、開口１０３、開口１０５および開口１０７を基準とすることができる。
【００１５】
図２〜図４に示すように、本実施例におけるスクリーン保護装置１００は、強化ガラスシート（tempered glass sheet）２１０、マスク層（mask layer）２２０、光学粘着層（optical clear adhesive layer, OCA layer）２３０、貼付層（adhesive layer）２４０、硬化層（harden layer）２５０、および、抗菌層２６０を含む。
【００１６】
強化ガラスシート２１０は、スクリーン保護装置１００の本体であり、厚さが０．２ｍｍ〜０．４ｍｍで、例えば、０．３ｍｍである。強化ガラスシート２１０は、電子装置２００の正面に向ける第１表面２１２と、電子装置２００の正面に背を向ける第２表面２１４とを備える。
【００１７】
マスク層２２０は、強化ガラスシート２１０の第１表面２１２上に設けられ、これによって、スクリーン保護装置１００における透明領域１０１が定義されている。透明領域１０１は、形状が電子装置２００の表示スクリーン２０２と同じであり、マスク層２２０によって囲まれている。実際には、マスク層２２０は、貼付層２４０を覆うために、まったく不透明（opaque）なまたは半透明（translucent）な材質から形成されることができる。例えば、所定の色（例えば、黒色、灰色、または白色）の塗料を強化ガラスシート２１０の第１表面２１２に印刷することで、マスク層２２０を形成する。
【００１８】
光学粘着層２３０は、強化ガラスシート２１０の第１表面２１２上に設置され、透明領域１０１を覆う。スクリーン保護装置１００を製作する際、強化ガラスシート２１０の第１表面２１２のマスク層２２０によって囲まれている領域（すなわち、上記透明領域１０１上）に、光学粘着剤（optical clear adhesive, OCA）をむらなく塗布し、光学粘着剤が固体化した後、支える力を有する光学粘着層２３０が形成される。上記光学粘着剤は無色透明で、光透過率が９０％以上であり、室温または中温下で固体化することができ、固体化の際の収縮が少ないという特性を有する接着剤である。
【００１９】
光学粘着層２３０は強い粘着性を有することから、表示スクリーン２０２に直接貼り付けることはふさわしくない。それは、ユーザがスクリーン保護装置１００を電子装置２００の表面から取り除く際に、過大な力によって、強化ガラスシート２１０が破損されるおそれがあるからである。上記の破損を防止するため、マスク層２２０および光学粘着層２３０に貼付層２４０を設ける。よって、貼付層２４０の表面面積は、マスク層２２０および光学粘着層２３０の表面面積の合計である。貼付層２４０は、取り外し可能（detachably）なように電子装置２００の表示スクリーン２０２上に貼り付ける貼付面２４２を有する。貼付層２４０の厚みを、マスク層２２０の厚みよりも小さくすることができる。貼付層２４０は、静電式吸着方式またはその他の付着方式によって、電子装置２００の表示スクリーン２０２に貼り付けられることができる。スクリーン保護装置１００は、貼付層２４０を介して、容易にかつ速やかに電子装置２００の表面に貼り付けられることができる。また、スクリーン保護装置１００は、電子装置２００の表面に粘着剤を残さないように、電子装置２００の表面から取り除かれることができ、強化ガラスシート２１０の破損の可能性を低減することができる。
【００２０】
実際に、マスク層２２０と、光学粘着層２３０とにＡＢ粘着剤を塗布することにより、貼付層２４０を形成することができる。すなわち、貼付層２４０は、ＡＢ粘着剤によって実現されることができる。
【００２１】
硬化層２５０は、強化ガラスシート２１０の第２表面２１４を保護するため、第２表面２１４上に設けられている。実際に、強化ガラスシート２１０の第２表面２１４に、硬化剤を塗布し、硬化層２５０を形成することができる。よって、スクリーン保護装置１００の強度が増加される。
【００２２】
抗菌層２６０は、細菌の繁殖を低減または回避するため、硬化層２５０上に設けられている。実際に、硬化層２５０に防霧（anti-fog, AF）液または防汚（anti-smudge, AS）液を塗布することができる。防霧液または防汚液は、乾燥後に、抗菌層２６０を形成し、抗油垢機能およびナノ抗菌機能を果たし、よって、細菌の繁殖を低減または回避することができる。
【００２３】
図２に示すように、スクリーン保護装置１００の貼付層２４０が、電子装置２００の表示スクリーン２０２に貼り付けられたとき、光学粘着層２３０は、強化ガラスシート２１０と表示スクリーン２０２との間のパッド層（pad layer）として、強化ガラスシート２１０と貼付層２４０との間に設けられている。しかしながら、光学粘着層２３０は、表示スクリーン２０２と直接接触しない。よって、光学粘着層２３０は、サポート部品として機能し、強化ガラスシート２１０を支え、よって、強化ガラスシート２１０の透明領域１０１が重力作用またはその他の過度使用の原因により変形され、表示スクリーン２０２側に凹んでしまうことを回避する。したがって、光学粘着層２３０の支えによって、電子装置２００におけるニュートン環現象を有効に回避することができる。
【００２４】
スクリーン保護装置１００の光学粘着層２３０は、マスク層２２０の側端と接触することができるが、マスク層２２０の上表面の一部または全部の領域を覆ってはいけないという点に注意すべきである。そうでないと、貼付層２４０が凸凹になるおそれがあり、スクリーン保護装置１００と表示スクリーン２０２との間の密着性にも影響を及ぼすことがある。さらに、光学粘着層２３０がマスク層２２０の上表面の一部または全部を覆ってしまうと、スクリーン保護装置１００の本体の厚みおよび重量が増え、ユーザのニーズを満たすことが難しくなる。
【００２５】
上記開口１０３、開口１０５および開口１０７は、いずれもスクリーン保護装置１００の透明領域１０１以外の領域に設けられ、よって、光学粘着層２３０の位置を通ることはない。しかしながら、開口１０３、開口１０５および開口１０７の位置に対応する前置カメラ、イヤホンおよびコントロールボタンが強化ガラスシート２１０、マスク層２２０、または貼付層２４０に覆われないように、開口１０３、開口１０５および開口１０７は、いずれも強化ガラスシート２１０、マスク層２２０、および貼付層２４０を貫いている。例えば、図３に示すように、スクリーン保護装置１００が電子装置２００の表面に貼り付けられたとき、スクリーン保護装置１００の開口１０３は、電子装置２００の前置カメラ３０２と位置を合わせられ、よって、電子装置２００の前置カメラ３０２は、開口１０３を介してスムーズに撮影することができる。
【００２６】
実際に、光学粘着層２３０のサイズを、表示スクリーン２０２のサイズと実質的に同じように設計することができる。例えば、表示スクリーン２０２の対角線長さが４インチの場合、光学粘着層２３０の対角線長さを、４インチと等しく、または、４インチよりもすこし長くすることができる。表示スクリーン２０２の対角線長さが５インチの場合、光学粘着層２３０の対角線長さを、５インチと等しく、または、５インチよりもすこし長くすることができる。表示スクリーン２０２の対角線長さが７インチの場合、光学粘着層２３０の対角線長さを、７インチと等しく、または、７インチよりもすこし長くすることができる。表示スクリーン２０２の対角線長さが１１インチの場合、光学粘着層２３０の対角線長さを、１１インチと等しく、または、１１インチよりもすこし長くすることができる。表示スクリーン２０２の対角線長さが１５インチの場合、光学粘着層２３０の対角線長さを、１５インチと等しく、または、１５インチよりもすこし長くすることができる。他は類推する。
【００２７】
上記の説明によれば、スクリーン保護装置１００の構成を各種サイズの電子装置２００に適用することができ、さらに、サイズの大きいスクリーンが搭載されている各種タブレットまたはテレビに適用することができる。
【００２８】
強化ガラス２１０の透明領域１０１の凹みを有効に低減するために、光学粘着層２３０の厚みを、少なくともマスク層２２０の厚みの８０％になるように設計する。例えば、光学粘着層２３０の厚みを、マスク層２２０の厚みの８５％、９０％、９５％、または９８％になるように設計する。また、光学粘着層２３０の厚みを、マスク層２２０の厚みとほぼ同じになるように設計することもできる。
【００２９】
図５〜図９を参照する。図５は、本考案の他の実施例に係るスクリーン保護装置５００の正面を簡素化して示す図である。図６と図７は、図５におけるスクリーン保護装置５００のＤ−Ｄ’線断面図である。図８は、図５におけるスクリーン保護装置５００のＥ−Ｅ’線断面図である。図９は、スクリーン保護装置５００のＦ−Ｆ’線断面図である。
【００３０】
スクリーン保護装置５００は、上記スクリーン保護装置１００と類似している。しかしながら、スクリーン保護装置５００は、主に表示スクリーン２０２の外周領域がアーチ形曲面に設計されている電子装置に適用される。両方の実施例の差の一つとしては、スクリーン保護装置５００に、さらに環状突起構造５７０が設けられている。もう一つの差としては、スクリーン保護装置５００の貼付層２４０の面積がスクリーン保護装置１００の貼付層２４０の面積よりも小さい。
【００３１】
図５に示すように、環状突起構造５７０は、スクリーン保護装置５００の周辺領域に設けられている。実際に、環状突起構造５７０の幅は、０．２ｍｍ〜１ｍｍであることが好ましく、例えば、０．５ｍｍである。
【００３２】
図６〜図９の実施例において、電子装置２００の表示スクリーン２０２の最外周領域は、アーチ形曲面の形状を有する。周知のように、強化ガラスシート２１０の縁を曲面のように曲げることは、コストが非常に高く、製造良品率もよくない。したがって、従来の製造方法では、スクリーン保護装置５００の強化ガラスシート２１０の最外周領域の形状を、表示スクリーン２０２の最外周領域のアーチ形曲面の形状と合わせるように製造することは難しい。
【００３３】
図６〜図９に示すように、スクリーン保護装置５００の強化ガラスシート２１０は、同様に平らな状態である。しかしながら、マスク層２２０の最外周領域が貼付層２４０によって覆われないように、貼付層２４０は、スクリーン保護装置１００の貼付層２４０よりも、若干縮小している。よって、スクリーン保護装置５００の貼付層２４０の表面面積は、マスク層２２０と光学粘着層２３０の面積合計値よりも若干小さい。したがって、スクリーン保護装置５００の貼付層２４０の面積は、スクリーン保護装置１００の貼付層２４０の面積よりも小さい。
【００３４】
スクリーン保護装置５００において、環状突起構造５７０は、マスク層２２０の最外周領域に設けられ、貼付層２４０を囲んでいる。よって、環状突起構造５７０の側端は、貼付層２４０の側端と接触する。さらに、環状突起構造５７０の高さは、貼付層２４０の厚みよりも、明らかに高く、例えば、環状突起構造５７０の高さを、貼付層２４０の厚みの１５０％〜４００％になるように、例えば、２５０％になるように設計することができる。実際に、環状突起構造５７０は、弾性および粘着性のある柔らかい粘着剤、例えば、ＰＶ粘着剤によって実現することができる。
【００３５】
環状突起構造５７０は、貼付層２４０に設けられず、よって、貼付層２４０の粘着性不足による環状突起構造５７０が貼付層２４０から簡単に取り離されることがないという点に注意すべきである。
【００３６】
図７〜図９に示すように、スクリーン保護装置５００の貼付層２４０が電子装置２００の表示スクリーン２０２に貼り付けられたとき、環状突起構造５７０の外表面６７２は、表示スクリーン２０２の最外周領域のアーチ形曲面に貼り付けられるように、多少変形している。よって、スクリーン保護装置５００は、電子装置２００の表示スクリーン２０２の表面に、より密接して貼り付けられる。換言すれば、環状突起構造５７０は、表示スクリーン２０２の最外周領域のアーチ形曲面とスクリーン保護装置５００との間に隙間が出ることを有効に防ぎ、かつスクリーン保護装置５００のコストを大幅に増加させることがない。
【００３７】
したがって、スクリーン保護装置５００の最外周領域の破損を有効に回避することができ、表示スクリーン２０２の最外周領域のアーチ形曲面とスクリーン保護装置５００との間にほこりが挟み込まれることを回避することができる。一方、環状突起構造５７０は、スクリーン保護装置５００本体が使用されるときの美観に影響を及ぼすことがなく、さらに、スクリーン保護装置５００の使用寿命を有効に延長することができる。
【００３８】
上記スクリーン保護装置１００に関するその他の構造の実施形態および関連する効果は、スクリーン保護装置５００の対応する構造にも適用することができる。説明の簡素化のため、ここでは省略する。
【００３９】
また、一部の実施例において、上記硬化層２５０および／または抗菌層２６０を省略することができ、よって、スクリーン保護装置の構造がさらに簡素化される。
【００４０】
また、スクリーン保護装置１００を、サイズの大きいテレビやパソコンディスプレイに適用する一部の実施例において、上記開口１０３、開口１０５および開口１０７を省略することができる。
【００４１】
上記の説明によれば、スクリーン保護装置１００が電子装置２００の表示スクリーン２０２に貼り付けられたとき、強化ガラスシート２１０と表示スクリーン２０２との間に設けられている光学粘着層２３０は、スクリーン保護装置１００の重量を支えることができ、よって、スクリーン保護装置１００が凹んで変形することによるニュートン環現象を回避することができる。
【００４２】
また、上記スクリーン保護装置１００の構造は簡単であり、スクリーン保護装置１００の製造良品率を有効に向上することができる。
【００４３】
明細書および実用新案登録請求の範囲において、特定の部材を指すために、ある語彙が使われている。しかしながら、当業者は、同様の部材を異なる名称で示すことができると理解できるはずである。明細書および実用新案登録請求の範囲では、名称の差異によって部材を区別するのではなく、部材の機能上の差異に基づいて区別する。明細書および実用新案登録請求の範囲に記載の「含む」は開放式の用語であり、「含むが、限定されず」と解釈されるべきである。
【００４４】
ここで記載の「および／または」の表現方式は、列挙されているものの中の１つまたは複数項目の任意の組み合わせが含まれている。また、明細書において特別な説明がない限り、単数の用語はすべて複数という意味を含む。
【００４５】
明細書および実用新案登録請求の範囲に記載の「部材」（element）は、部品（component）、層構造（layer）、または領域（region）の概念を含む。
【００４６】
実施例の内容をより明確に表現するために、図に示す一部の部材のサイズおび相対的な大きさが拡大されたり、一部の部材の形状が簡素化されたりしている。よって、出願人の特別な明記がない限り、図における各部材の形状、サイズ、相対的な大きさおよび相対位置などは、説明の便宜を図るものであり、本実用新案登録請求の範囲を限定するものではない。また、本考案は、複数の異なる形で実現することができ、本考案を解釈するとき、本明細書に掲載の実施形態に限定するものではない。
【００４７】
説明の便宜上、明細書には、図における部材の機能または当該部材とその他の部材との間の相対空間関係を表現するため、空間における相対位置に関する表現が使われる場合がある。例えば、「。。。上」、「。。。の上方」、「。。。下」、「。。。の下方」、「。。。よりも高い」、「。。。よりも低い」、「上向き」、「下向き」などである。これらの空間における相対位置に関する表現は、表現する部材の図における向き（orientation）を含むだけでなく、表現する部材が使用され、展開され、組み合わされているときの各種の異なる向きも含むことを、当業者が理解することができる。例えば、図を上下転回すれば、そもそも「。。。上」で表現されている要素が、「。。。下」になる。したがって、明細書に使用されている「。。。上」の表現は、「。。。下」と「。。。上」との２種類の異なる向きを含むと解釈されるべきである。同様に、ここで使われている「上向き」は、「上向き」と「下向き」との２種類の異なる向きを含むと解釈されるべきである。
【００４８】
明細書および実用新案登録請求の範囲において、第１部材が第２部材の上にあることを表現しようとする場合、「第２部材の上方にある」、「第２部材に連結、接合、結合される」、または、「第２部材に接する」は、「第１部材が第２部材上に直接設けられる」、「第２部材に直接連結、直接接合、直接結合される」ことを表すことができるし、「第１部材と第２部材との間に他の部材が存在する」ことを表すこともできる。それに対して、「第１部材が第２部材上に直接設けられる」、「第２部材に直接連結、直接接合、直接結合される」と表現される場合、「第１部材と第２部材との間にその他の部材が存在しない」ことを表す。
【００４９】
以上は本考案の好ましい実施例であり、本考案の請求項に基づく均等な変化および修飾を付けても、本実用新案登録請求の範囲に属する。
【符号の説明】
【００５０】
１００  スクリーン保護装置
１０１  透明領域
１０３、１０５、１０７  開口
２００  電子装置
２０２  表示スクリーン
２１０  強化ガラスシート
２１２  第１表面
２１４  第２表面
２２０  マスク層
２３０  光学粘着層
２４０  貼付層
２４２  貼付面
２５０  硬化層
２６０  抗菌層
３０２  前置カメラ
５７０  環状突起構造
６７２  外表面
【図１】
0003195819.tif 000003
【図２】
0003195819.tif 000004
【図３】
0003195819.tif 000005
【図４】
0003195819.tif 000006
【図５】
0003195819.tif 000007
【図６】
0003195819.tif 000008
【図７】
0003195819.tif 000009
【図８】
0003195819.tif 000010
【図９】
0003195819.tif 000011